(57)【要約】【課題】便蓋を開閉可能に保持する保持部よりも後方に光源部が設けられた便器装置における新規な光源制御技術を提案する。【解決手段】便器装置１０は、便蓋１３を開閉可能に保持する保持部１５よりも後方に設けられた室内照明用の光源部１６と、便蓋１３の開閉の位置を検知する便蓋位置検知部１７とを備え、検知した便蓋１３の位置に基づいて、光源部１３の明るさを調節する。【選択図】図１
2015127474.tif 000002
【特許請求の範囲】
【請求項１】
便蓋を開閉可能に保持する保持部よりも後方に設けられた室内照明用の光源部と、
前記便蓋の開閉の位置を検知する便蓋位置検知部とを備え、
検知した前記便蓋の位置に基づいて、前記光源部の明るさを調節することを特徴とする洋式便器装置。
【請求項２】
請求項１において、
前記便蓋が閉位置にあるときの前記光源部の明るさを小とし、
前記便蓋が開位置にあるときの前記光源部の明るさを大とすることを特徴とする洋式便器装置。
【請求項３】
請求項１又は２において、
前記便蓋位置検知部は、前記便蓋の開閉中の回動角を検知し、
前記便蓋が閉位置と開位置との間を移動しているときは、その位置に応じて、前記光源部の明るさを連続的に変化させることを特徴とする洋式便器装置。
【請求項４】
請求項１又は２において、
前記便蓋位置検知部は、前記便蓋の開閉中の回動角を検知し、
前記便蓋が閉位置と開位置との間を移動しているときは、その位置に応じて、前記光源部の明るさを段階的に変化させることを特徴とする洋式便器装置。
【請求項５】
請求項３又は４において、
前記便蓋が、開位置の近傍を移動しているときに、前記光源部の明るさを急峻に変化させることを特徴とする洋式便器装置。
【請求項６】
請求項１−５のいずれか１項において、
前記便蓋位置検知部に加えて照度センサを備え、
前記照度センサの検知信号に基づいて、前記光源部の明るさを調節することを特徴とする洋式便器装置。
【請求項７】
請求項１−５のいずれか１項において、
前記便蓋位置検知部に換えて照度センサを備え、
前記照度センサの検知信号に基づいて、前記光源部の明るさを調節することを特徴とする洋式便器装置。
【請求項８】
請求項１−７のいずれか１項において、前記光源部が便器本体の後面に設けられていることを特徴とする洋式便器装置。
【発明の詳細な説明】
【技術分野】
【０００１】
本発明は、便器本体に室内照明用の光源部が設けられた洋式便器装置に関する。
【背景技術】
【０００２】
前記のような洋式便器装置に係る従来技術の例として、例えば次の特許文献１が挙げられる。この文献には、便座回転軸と便蓋回転軸との間に光源部を設け、便座への着座が検知されたときに、光源部の明るさを大きくすることが記載されている。
【先行技術文献】
【特許文献】
【０００３】
【特許文献１】特開2007-321387号公報
【発明の概要】
【発明が解決しようとする課題】
【０００４】
しかしながら、前記特許文献１の構成では、光源部が便座回転軸と便蓋回転軸との間に設けられている。そのため、立って小用を足している間に正面から便器装置を見下ろした場合には、その光源部の直接光が使用者の目を射すことになって、使用者を覚醒させてしまうことも有り得る。本発明は、小用を足している間に光源を直視する機会を減らし、かつ暗すぎないように非覚醒照明を行える洋式便器装置を提案するものである。
【課題を解決するための手段】
【０００５】
本発明は、洋式便器装置において、便蓋を開閉可能に保持する保持部よりも後方に設けられた室内照明用の光源部と、前記便蓋の開閉の位置を検知する便蓋位置検知部とを備え、検知した前記便蓋の位置に基づいて、前記光源部の明るさを調節することを特徴とする。
【０００６】
ここに、前記便蓋が閉位置にあるときの前記光源部の明るさを小とし、前記便蓋が開位置にあるときの前記光源部の明るさを大とするとよい。
【０００７】
前記便蓋位置検知部は、前記便蓋の開閉中の回動角を検知し、前記便蓋が閉位置と開位置との間を移動しているときは、その位置に応じて、前記光源部の明るさを連続的に変化させてもよい。
【０００８】
あるいは、前記便蓋位置検知部は、前記便蓋の開閉中の回動角を検知し、前記便蓋が閉位置と開位置との間を移動しているときは、その位置に応じて、前記光源部の明るさを段階的に変化させてもよい。
【０００９】
前記便蓋が、開位置の近傍を移動しているときに、前記光源部の明るさを急峻に変化させるようにしてもよい。
【００１０】
前記便蓋位置検知部に加えて照度センサを備え、前記照度センサの検知信号に基づいて、前記光源部の明るさを調節するようにしてもよい。
また前記便蓋位置検知部に換えて照度センサを備え、前記照度センサの検知信号に基づいて、前記光源部の明るさを調節するようにしてもよい。
さらに前記光源部が便器本体の後面に設けられていてもよい。
【発明の効果】
【００１１】
本発明では、便蓋の位置に基づいて光源部の明るさを調節するので、立って小用を足している間に光源を直視する機会を減らし且つ暗すぎないように非覚醒照明を行うことができる。具体的には、便蓋は閉位置にあるとき光源部の明るさが小とされるので、室内照明によって覚醒が促されることを抑制できる。また、便蓋の開かれた便器装置に向かって使用者が直立した状態のとき、光源部の明るさは大とされるが、その光は便蓋によって遮られて使用者の目を射すことはなく、同時に、便蓋に遮られない分の光は強くなるので、室内照明の明るさも保たれる。
【図面の簡単な説明】
【００１２】
【図１】（ａ）、（ｂ）は本発明の実施形態の例とされる便器装置を斜め前方、及び斜め後方から見たときの全体斜視図である。
【図２】（ａ）、（ｂ）は該便器装置の便蓋が室内照明に与える影響を説明する図であって、（ａ）は便蓋が閉じられた状態、（ｂ）は便蓋が開かれた状態を示している。
【図３】（ａ）は、該便器装置の基本作用を示す原理図、（ｂ）は、その基本構成を示すブロック図、（ｃ）は、その基本構成の他例を示す回路図である。
【図４】（ａ）、（ｂ）は、該便器装置の便蓋がそれぞれ閉位置、開位置にあるときの光の広がり具合を示す正面斜視図である。
【図５】（ａ）−（ｃ）はいずれも、光源部の明るさを連続的に変化させる制御関数の例を示すグラフである。
【図６】（ａ）−（ｃ）はいずれも、光源部の明るさを段階的に変化させる制御関数の例を示すグラフである。
【図７】（ａ）は本発明の実施形態の他例とされる便器装置の基本作用を示す原理図、図７（ｂ）はその基本構成を示すブロック図、（ｃ）はその制御マップの一例を示すデータテーブルである。
【図８】（ａ）は、本発明の実施形態の更に他例とされる便器装置の基本作用を示す原理図、（ｂ）はその基本構成を示すブロック図、（ｃ）はその制御関数の一例を示すグラフである。
【図９】（ａ）、（ｂ）は、本発明の実施形態の例とされる便器装置の変形例を、斜め前方、及び斜め後方から見たときの全体斜視図である。
【図１０】（ａ）、（ｂ）は、該便器装置の便蓋が室内照明に与える影響を説明する図であって、（ａ）は便蓋が閉じられた状態、（ｂ）は便蓋が開かれた状態を示している。
【図１１】（ａ）、（ｂ）は、該便器装置の便蓋がそれぞれ閉位置、開位置にあるときの光の広がり具合を示す正面斜視図である。
【発明を実施するための形態】
【００１３】
以下、本発明の実施形態を図に従って説明する。
図１（ａ）、（ｂ）は本発明に係る洋式便器装置を斜め前方、及び斜め後方から見たときの全体斜視図である。
【００１４】
便器装置１０は、温水洗浄式のものであって、便器本体１１、便座１２、便蓋１３からなる。便座１２及び便蓋は便器本体１１に対して開閉可能に保持されている。便器装置１０の背面には、水道用耐圧ホースを接続する入水口１４が設けられている。
【００１５】
便器装置１０における汚水の排水、水道水の注水、温水による局部洗浄等のための基本構成は、従来の同種便器装置と変わりないので、その説明は割愛する。また操作部２０はリモコン式としているが、これについても同様である。
【００１６】
便器装置１０を側面視したとき、便蓋１３を保持する保持部１５よりも後方に、ここでは便器本体１１の上面に、室内照明用の光源部１６が設けられている。光源部１６は、夜間のトイレ室内照明（以下、単に室内照明と呼ぶ）を行うことを意図したものであり、蛍光管、白熱電球あるいは発光ダイオード等を発光源とし、ミラー、カバーレンズ等で構成される。光源部１６の点灯、消灯は、便器本体１１あるいは操作部２０に人感センサ（図示なし）を設けて自動的に行うとよい。光源部１６の光軸は上方ないし後方に向けて角度調節され、天井面あるいは後方壁面に向けて光を照射して、主にその反射光によって室内照明を行う。光源部１６が便蓋１３の保持部１５よりも後方に設けられているので、夜間に立って小用を足している間に、便蓋１３の開かれた便器装置１０を見下ろしたとき、光源部１６の直接光が使用者の目を射すことを防止できる。なお当然であるが、便蓋１３の開閉は、室内照明の明るさに影響を及ぼす。
【００１７】
図２（ａ）、（ｂ）は、そのような便蓋の室内照明に与える影響を説明する図である。図２（ａ）は便蓋が閉じられた状態、図２（ｂ）は便蓋が開かれた状態を示す。なお図中、光は破線の矢印（以下も同様）で示している。これらの図からわかるように、便蓋１３が閉じられているときは、発光部の直接光や後方壁面Ｗからの反射光は便蓋１３に遮られることなく室内に広がっていくが、便蓋１３が開かれているときは、それらの光の一部は便蓋１３によって遮られる。
【００１８】
便蓋１３が閉じられた状態、開かれた状態にあるときの室内照明の明るさを考えると、光源部１６の明るさが同じであれば、前者が便蓋１３による光の遮断がない分、後者よりも明るいのは当然である。しかしながら、トイレに入室した者にとって、室内照明の明るさは、便蓋１３の開閉によらず、覚醒を促さない程度の暗すぎない明るさに保たれることが望ましく、本発明は、そのような要望に対応した新規な光源制御の仕組みを提案するものである。
【００１９】
図３（ａ）は、便器装置の基本作用を示す原理図、図３（ｂ）は便器装置の基本構成を示すブロック図である。図３（ａ）に示すように、便器装置１０は、便蓋１３を開閉可能に保持する保持部１５よりも後方に照明用の光源部１６が設けられている。
【００２０】
図３（ｂ）に示すように、便器装置１０は、便蓋１３の開閉の位置を検知する便蓋位置検知部１７を備えており、マイコン等で構成された制御部１８は、検知した便蓋１３の位置に基づいて、光源部１６の明るさを調節する。便蓋モータ１９は便蓋１３を自動開閉させるための駆動源である。制御部１８は、人感センサ等（図示なし）によって居住者の入退室を検知し、あるいは操作部２０での開閉指令を受け付けて便蓋モータ１９を制御し、便蓋１３を自動的に開閉させる。
【００２１】
便蓋位置検知部１７の構成は特に制限されない。例えば、開位置にある便蓋１３によって押圧されるスイッチを便器本体１１の適所に設け、そのスイッチが作動している間、便蓋は開位置にあると判断する構成としてもよい。あるいは便蓋１３の開閉中の回転角をロータリーエンコーダ等によって検知する構成としてもよい。あるいは便蓋モータ１９の回転数から便蓋１３の位置を算出する構成としてもよい。なお図１（ａ）では、ロータリーエンコーダによって構成した便蓋位置検知部１７を点線によって示し、この便蓋位置検知部１７は、保持部１５に連結して設けられている。
【００２２】
この実施形態での光源制御は、少なくとも、便蓋１３が閉位置にあるときの光源部１６の明るさを小とし、便蓋１３が開位置にあるときの光源部１６の明るさを大とするものである。より詳細に云えば、便蓋１３が閉位置にあるときの光源部１６の明るさは、室内照明として、夜間に用を足そうとする者の覚醒を促さない程度の明るさが得られるように、小とする。覚醒を促さない程度は、リモコン式の操作部２０が視認できる程度ということである。一方、便蓋１３が開位置にあるときの光源部１６の明るさは、便蓋１３による光の遮断による室内照明の明るさの低下を補って、便蓋１３が閉位置にあるときと同程度の明るさが得られるように、大とする。なお光源部１６は、電圧制御あるいは電流制御によってその明るさを調節すればよい。
【００２３】
そのような光源制御とすることで、室内照明の明るさを、便蓋の開閉によらず、使用者の覚醒を促さない程度に保つ非覚醒照明が得られる。例えば、使用者が夜間に立って小用を足そうとトイレに入室したとき、便蓋は閉位置にあるが、そのときには光源部の明るさが小とされているので、室内照明によって覚醒が促されることを抑制できる。小用の際には、便蓋が開かれた便器装置に向かって直立した状態となる。このとき光源部の明るさは大とされるが、その光源部からの直接光や後方壁面からの強い反射光は便蓋によって遮られて使用者の目を射すことはなく、同時に、便蓋に遮られない分の光は強くなるので、室内照明の明るさも暗すぎず適切に保たれる。
【００２４】
なお図３（ｃ）は、基本構成の他例を示す回路図である。この回路は、便蓋１３の回動に連動される可変抵抗器ＶＲと、スイッチＳと、電源Ｂと、ランプＬとを直列に接続してなる。ランプＬは光源部１６を構成する。可変抵抗器ＶＲは、便蓋１３が閉位置にあるときには大きく、開位置にあるときには小さくなるように、その抵抗値が連続的に変化する。つまり可変抵抗器ＶＲは便蓋位置検知部１７を構成する。このような回路によれば、ランプＬの明るさは、便蓋１３が閉位置にあるときに小となり、開位置にあるときに大となる。可変抵抗器ＶＲの各部の抵抗値を適切に選択することで、便蓋１３の位置とランプＬの明るさとの間に所望の関係が得られる。
【００２５】
図４（ａ）、（ｂ）は、便蓋がそれぞれ閉位置、開位置にあるときの、光源部の照射した光の広がり具合を示す正面斜視図である。光源部から照射された光は上方に向けて広がるので、後方壁面Ｗの光を受ける照射範囲Ａも上方に向けて広がった形状になっている。便蓋１３が閉位置にあるときに比べて、便蓋１３が開位置にあるときには後方壁面Ｗは、強く照射された光を受ける。しかし便器装置を正面から見下ろす者にとっては、その照射範囲Ａが便蓋１３の陰になるため、まぶしさが効果的に防止される。
【００２６】
前記実施形態のより改善された例として、便蓋位置検知部によって便蓋の開閉中の回動角を検知し、便蓋が閉位置と開位置との間を移動しているときは、その位置に応じて光源部の明るさを連続的に変化させるようにしてもよい。光源部の明るさを決定するための方法としては、便蓋の位置を変数として予め準備された制御関数を用いてもよいし、便蓋の位置と光源部の明るさとの関係を予め登録した制御マップ（データテーブル）を参照してもよい。
【００２７】
図５（ａ）−（ｃ）はいずれも、光源部の明るさを連続的に変化させる制御関数の例を示すグラフである。いずれも便蓋が閉位置にあるときの光源部の明るさを小とし、便蓋が開位置にあるときの光源部の明るさを大として、その間で明るさを連続的に変化させるものである。光源部の明るさを連続的に変化させれば、便器装置に高級感を演出できる。
【００２８】
図５（ａ）の制御関数Ｆ１では、便蓋が閉位置の近傍を移動するとき光源部の明るさが除々に変化し、かつ便蓋が開位置の近傍を移動するとき光源部の明るさが急峻に変化している。図５（ｂ）の制御関数Ｆ２では、便蓋の閉位置と開位置との間で、光源部の明るさが折れ線状に変化にしている。折れ線の各区間では光源部の明るさは一定の割合で変化する。より簡単に、便蓋の閉位置と開位置との間の全区間で、光源部の明るさが一直線状に変化してもよい（図示なし）。図５（ｃ）の制御関数Ｆ３では、便蓋が閉位置の近傍を移動するとき光源部の明るさが急峻に変化し、かつ便蓋が開位置の近傍を移動するとき光源部の明るさが徐々に変化している。
【００２９】
光源部の明るさを連続的に変化させる態様は、図５（ａ）−（ｃ）の例に制限されず、種々のバリエーションが可能である。
【００３０】
また特に制御関数Ｆ１のように、便蓋が、開位置の近傍を移動しているときに、光源部の明るさを急峻に変化させるということは、光源部の直接光や後方壁面からの反射光が便蓋によって遮られている間に、光源部の明るさ調節の大部分が行われることを意味する。そうすると当然、それ以外のときには明るさが小のままとされるので、まぶしさが効果的に抑えられる。
【００３１】
更に変形例として、便蓋位置検知部によって便蓋の開閉中の回動角を検知し、便蓋が閉位置と開位置との間を移動しているときは、その位置に応じて光源部の明るさを段階的に変化させるようにしてもよい。
【００３２】
図６（ａ）−（ｃ）はいずれも、光源部の明るさを段階的に変化させる制御関数の例を示すグラフである。いずれも便蓋が閉位置にあるときの光源部の明るさを小とし、便蓋が開位置にあるときの光源部の明るさを大として、その間で明るさを段階的に変化させる。
【００３３】
図６（ａ）の制御関数Ｆ４では、便蓋が閉位置からある程度開かれるまでは、光源部の明るさは小のまま一定であり、そこから開位置までの間は、光源部の明るさは直線状に変化している。図６（ｂ）の制御関数Ｆ５では、便蓋の閉位置と開位置との間で、光源部の明るさが切り換わる点を複数設け、それ以外のところでは光源部の明るさは変化しないようにしている。図６（ｂ）の制御関数Ｆ６では、便蓋の閉位置と開位置との間に、光源部の明るさが変化しない範囲があり、それ以外のところでは光源部の明るさは一定の割合で変化にしている。
【００３４】
特に図６（ｂ）の制御関数Ｆ６に基づく光源制御は、簡単な回路、例えば電源部に電圧又は電流の異なる複数の出力端子を設け、それらの端子と光源部との接続を切り換えるような回路等（図示なし）によって実現できるので、コストが抑えられる。
【００３５】
次いで実施形態の他例として、前記便蓋位置検知部に加えて、明るさを検知する照度センサを備えた構成を説明する。
【００３６】
図７（ａ）は、そのような実施形態の基本作用を示す原理図、図７（ｂ）はその基本構成を示すブロック図である。図７（ａ）に示すように、照度センサ２１は、保持部１５よりも後方に、光源部１６に隣接して設けられており、その受光角度は、便器装置１０の後方壁面の照度を検出するように調整される。
【００３７】
また図７（ｂ）に示すように、便器装置１０は、便蓋１３の開閉の位置を検知する便蓋位置検知部１７を備えており、マイコン等で構成された制御部１８は、検知した便蓋の１３位置と、検知した室内の明るさとに基づいて、光源部１６の明るさを調節する。便蓋モータ１９は便蓋１３を自動開閉させるための駆動源である。制御部１８は、図示しない人感センサ等によって居住者の入退室を検知し、あるいは開閉指令を受け付けて便蓋モータ１９を制御し、便蓋１３を自動的に開閉させる。
【００３８】
この実施形態では、便蓋の位置と、部屋の明るさとを変数として、光源部１６の明るさが調整される。具体的には、便蓋が閉位置にあるときの光源部１６の明るさを小とし、便蓋が開位置にあるときの光源部１６の明るさを大とする制御と、部屋が明るいときの光源部１６の明るさは小とし、部屋が暗いときの光源部１６の明るさは大とする制御を並列的に実行する。そのような光源制御では、光源の明るさは、例えば２次元の制御マップ、あるいは２変数の制御関数によって決定できる。なおこの実施形態における照度センサ２１は、その設置位置からわかるように部屋の明るさを直接検知するわけではないが、それでも、便蓋１３の位置、照度センサ２１の検知信号と、部屋の明るさ（使用者周囲の明るさ）との間には相関がある。そして、前記制御マップ、制御関数は、そのような相関を基に、便蓋１３の位置、照度センサ２１の検知する明るさと、使用者の感じる明るさが略一定になる光源部１６の明るさとの関係を規定したものである。
【００３９】
図７（ｃ）は、そのような２次元の制御マップの例である。この制御マップＭでは、便器の位置（角度）、部屋の明るさ（ルクス）をそれぞれ行、列の座標として、それらの座標によって参照される各点に、光源部の明るさ（通電率）が配列されている。この制御マップによれば、例えば、便器の位置が０−１０°（閉位置）にありかつ部屋の明るさが７ルクス以上（明るい状態）のとき、光源部の明るさは最小（通電率１０％）なるように制御される。同様に、便器の位置が９０−１１０°（開位置）にありかつ部屋の明るさが０−３ルクス（暗い状態）のとき、光源部の明るさは最大（１００％）になるように制御される。
【００４０】
このような光源制御では、便蓋の位置と、部屋の明るさとを変数として、光源部１６の明るさを調整するので、室内条件に応じてより最適な明るさの室内照明が得られる。例えば、光源部１６による室内照明は、便器装置の後方壁面Ｗの材質等によって影響を受ける。すなわち後方壁面Ｗが光を反射し易ければ、光源部１６による照明で部屋は相当明るくなるが、後方壁面Ｗが光を反射し難くければ、光源部１６による照明で部屋は余り明るくならない。しかしこの実施形態では、後方壁面Ｗが光を反射しやすいものであれば、光源部１６の明るさは全体的に小さ目に調節され、後方壁面Ｗが光を反射し難いものであれば、光源部１６の明るさは全体的に大き目に調整されるので、室内照明の明るさは両者で略等しくなり、効果的な照明効果が得られる。
【００４１】
次いで実施形態の更に他例として、前記便器位置検知部に換えて、室内の明るさを検知する照度センサを備えた構成を説明する。
【００４２】
図８（ａ）は、そのような実施形態の基本作用を示す原理図、図８（ｂ）はその基本構成を示すブロック図である。図８（ａ）に示すように、照度センサ２１は、開位置とされた便蓋１３を挟んで光源部１６とは反対側の適所に設けられる。その具体的な配置場所は特に限定されず、照度センサ２１は、便器本体１１の適所に設けてもよいし、図示のように便器本体１１とは離れて、例えば便蓋１３の手前側に位置するリモコン式の操作部２０に設けてもよい。照度センサ２１の受光角度は特に制限されず、天井面、便器装置１０の後方壁面Ｗ、あるいは便器本体１１の照度を検出するように調整するとよい。
【００４３】
光源制御では、照度センサ２１によって検出した照明の明るさに基づいて光源部１６の明るさが調節される。すなわち部屋が明るいときの光源部１６の明るさは小とし、部屋が暗いときの光源部１６の明るさは大とする。
【００４４】
図８（ｃ）は、照度センサの検知信号に基づいて光源部の明るさを制御する制御関数の一例を示すグラフである。図中、破線は照度センサの検知信号を示し、実線は光源部１６の明るさを示している。制御関数Ｆ７は、照度センサの検知信号を一定にするように光源部１６の明るさをフィードバック制御することを示す。このような光源制御によれば、リモコン式の操作部２０が確実に視認できる室内照明が得られる。
【００４５】
以上の説明では、側面視したとき、便蓋を保持する保持部よりも後方の、特に便器本体の上面に室内照明用の光源部が設けられている便器装置について説明した。しかしながら、本発明は、光源部が便器本体の上面に設けられたものには限られない。すなわち本発明は、光源部が便器本体の後面に設けられているものに対しても同様に適用できる。この場合、小用を足す前の便蓋を閉めている状態においても、使用者が光源を直視できないようにできるため、覚醒してしまう事態をより起こりにくくできる。
【００４６】
図９（ａ）、（ｂ）は、光源部が便器本体の後面に設けられた便器装置を斜め前方、及び斜め後方から見たときの全体斜視図である。このとき、光源部１６の光軸は後方に向けて角度調節され、後方壁面に光を照射して、主にその反射光によって室内照明を行う。なお光源部１６以外の構成は、図１（ａ）、（ｂ）に示したものに共通しているので、同一の参照符号を付けて説明を省略する。
【００４７】
図１０（ａ）、（ｂ）は、そのような便蓋の室内照明に与える影響を説明する図である。図１０（ａ）は便蓋が閉じられた状態、図１０（ｂ）は便蓋が開かれた状態を示す。これらの図からわかるように、便蓋１３が閉じられているときは、後方壁面Ｗからの反射光は便蓋１３に遮られることなく室内に広がっていくが、便蓋１３が開かれているときは、後方壁面Ｗからの反射光の一部は便蓋１３によって遮られる。
【００４８】
図１１（ａ）、（ｂ）は、このような便器装置において便蓋がそれぞれ閉位置、開位置にあるときの光の広がり具合を示す正面斜視図である。光源部１６から照射された光は後方に向けて広がるため、後方壁面Ｗの強い光を受ける照射範囲Ａは略円形になっている。本発明による光源制御によって、便蓋１３が閉位置にあるときに比べて、便蓋１３が開位置にあるときに、光源部１６は強い光を照射し、そのため後方壁面Ｗの強い光を受ける照射範囲Ａが広がっている。このように光源部１６を便器本体の後面に設けた場合は、光源部１６が便器本体の正面側から見えず、室内照明によって覚醒が促されることをより抑制できる。
【符号の説明】
【００４９】
１０    便器装置
１３    便蓋
１５    保持部
１６    光源部
１７    便蓋位置検知部
２０    照度センサ
【図１】
2015127474.tif 000003
【図２】
2015127474.tif 000004
【図３】
2015127474.tif 000005
【図４】
2015127474.tif 000006
【図５】
2015127474.tif 000007
【図６】
2015127474.tif 000008
【図７】
2015127474.tif 000009
【図８】
2015127474.tif 000010
【図９】
2015127474.tif 000011
【図１０】
2015127474.tif 000012
【図１１】
2015127474.tif 000013